【手続補正書】
【提出日】平成17年2月14日(2005.2.14)
【手続補正１】
【補正対象書類名】明細書
【補正対象項目名】全文
【補正方法】変更
【補正の内容】
【書類名】  明細書
【発明の名称】  情報提示方法及び情報提示装置
【特許請求の範囲】
【請求項１】  第一の情報端末において取得した位置情報に関連する情報を第二の情報端末において提示する情報提示方法であって、
前記第二の情報端末は、
ユーザに所持され移動可能な第一の情報端末にて取得、蓄積した位置情報を受け取る位置情報取得ステップと、
情報コンテンツのデータを取得するデータ取得ステップと、
前記取得した情報コンテンツのデータを蓄積するデータ蓄積ステップと、
前記位置情報取得ステップにより取得された位置情報と前記データ蓄積ステップにより蓄積された情報コンテンツのデータとの関連を判定する関連情報判定ステップと、
前記関連情報判定ステップの判定に基づき、ユーザに対して取得した情報コンテンツを提示する情報提示ステップと、
を備えることを特徴とする情報提示方法。
【請求項２】  第一の情報端末において取得した位置情報に関連する情報を第二の情報端末において提示する情報提示方法であって、
前記第一の情報端末は、
当該端末の位置情報を取得する位置情報取得ステップと、
前記取得した位置情報を蓄積する位置情報蓄積ステップと、
前記蓄積された位置情報を当該端末外に送出する位置情報送出ステップと、
を備え、
前記第二の情報端末は、
前記第一の情報端末で蓄積された位置情報を受け取る位置情報取得ステップと、
ネットワーク、放送波、メモリ媒体の少なくともいずれかを用いて情報コンテンツのデータを取得するデータ取得ステップと、
前記取得した情報コンテンツのデータを蓄積するデータ蓄積ステップと、
前記位置情報取得ステップにより取得された位置情報と前記データ蓄積ステップにより蓄積された情報コンテンツのデータとの関連を判定する関連情報判定ステップと、
前記関連情報判定ステップの判定に基づき、ユーザに対して取得した情報コンテンツを提示する情報提示ステップと、
を備えることを特徴とする情報提示方法。
【請求項３】  第一の情報端末における取得、蓄積した位置情報、第二の情報端末における取得した位置情報は、緯度および経度の情報であり、
第二の情報端末において、
データ取得ステップが取得する情報コンテンツのデータは、緯度および経度で表現されたエリアを示す情報を含み、
関連情報判定ステップによる関連は、前記第一の情報端末の位置情報が前記第二の情報端末に蓄積されたデータのエリアに含まれるかどうかにより判定される、
ことを特徴とする請求項１または２記載の情報提示方法。
【請求項４】  第一の情報端末における取得、蓄積した位置情報、第二の情報端末における取得した位置情報は、緯度および経度の情報であり、
第二の情報端末において、
データ取得ステップが取得する情報コンテンツのデータは、地名を表す情報を含み、
前記地名を表す情報を緯度および経度により表されるエリア情報に変換するエリア判定ステップを有し、
関連情報判定ステップによる関連は、前記第一の情報端末の位置情報が前記第二の情報端末におけるエリア判定ステップにより変換されるエリアに含まれるかどうかにより判定される、
ことを特徴とする請求項1または２記載の情報提示方法。
【請求項５】  第一の情報端末において取得した位置情報に関連する情報を第二の情報端末において提示する情報提示方法であって、
前記第一の情報端末は、
緯度、経度により表される当該端末の位置情報を取得する位置情報取得ステップと、
前記取得した位置情報を蓄積する位置情報蓄積ステップと、
前記蓄積された位置情報を、地名を表す情報に変換する地名変換ステップと、
前記変換された地名を表す情報を当該端末外に送出する位置情報送出ステップと、
を備え、
前記第二の情報端末は、
前記第一の情報端末で変換された地名を表す情報を受け取る位置情報取得ステップと、
地名を表す情報を含む情報コンテンツのデータを取得するデータ取得ステップと、
前記取得したデータを蓄積するデータ蓄積ステップと、
前記位置情報取得ステップにより取得された地名を表す情報と、前記データ蓄積ステップにより蓄積された地名を表す情報を含む情報コンテンツのデータとの関連を判定する関連情報判定ステップと、
前記関連情報判定ステップの判定に基づき、ユーザに対して取得した情報コンテンツを提示する情報提示ステップと、
を備えることを特徴とする情報提示方法。
【請求項６】  第一の情報端末において取得した位置情報をサーバで処理し、処理された情報と関連する情報を第二の情報端末において提示する情報提示方法であって、
前記第一の情報端末は、
緯度、経度により表される当該端末の位置情報を取得する位置情報取得ステップと、
前記取得した位置情報を当該端末外に送出する位置情報送出ステップと、
を備え、
サーバは、
前記位置情報送出ステップにより送出された位置情報を受信する受信ステップと、
前記受信した位置情報を蓄積する蓄積ステップと、
前記蓄積された位置情報を、地名を表す情報に変換する地名変換ステップと、
前記変換した地名を表す情報を、第二の情報端末に対して送信する送信ステップと、
を備え、
前記第二の情報端末は、
前記サーバから送信された地名を表す情報を受け取る位置情報取得ステップと、
地名を表す情報を含む情報コンテンツのデータを取得するデータ取得ステップと、
前記取得した情報コンテンツのデータを蓄積するデータ蓄積ステップと、
前記位置情報取得ステップにより取得された地名を表す情報と前記データ蓄積ステップにより蓄積された地名を表す情報を含む情報コンテンツのデータの関連を判定する関連情報判定ステップと、
前記関連情報判定ステップの判定に基づき、ユーザに対して取得した情報コンテンツを提示する情報提示ステップと、
を備えることを特徴とする情報提示方法。
【請求項７】  情報端末において取得した位置情報に関連する情報を提示する情報提示装置であって、
ユーザに所持され移動可能な情報端末にて取得、蓄積した位置情報を受け取る位置情報取得部と、
情報コンテンツのデータを取得するデータ取得部と、
前記取得した情報コンテンツのデータを蓄積する蓄積データベースと、
前記位置情報取得部により取得された位置情報と前記蓄積データベースにより蓄積された情報コンテンツのデータとの関連を判定する関連情報判定部と、
前記関連情報判定部の判定に基づき、ユーザに対して取得した情報コンテンツを提示する情報提示部と、
を備えることを特徴とする情報提示装置。
【請求項８】  情報端末にて取得した位置情報は、位置情報を取得した日時に対応つけて蓄積されている請求項７記載の情報提示装置。
【請求項９】  データ取得部は、ネットワーク、放送波、メモリ媒体の少なくともいずれかを用いて情報コンテンツのデータを取得する請求項７または８記載の情報提示装置。
【請求項１０】  蓄積データベースに蓄積された情報コンテンツのデータから、ユーザの嗜好に関する情報を記憶する嗜好情報データベースにて取得したキーワードに合致する情報コンテンツのデータを抽出する嗜好判定部を更に備え、上記関連情報判定部は、前記嗜好判定部により抽出された情報コンテンツのデータと位置情報取得部により取得された位置情報との関連を判定する請求項７から９のいずれかに記載の情報提示装置。
【請求項１１】  嗜好情報データベースの嗜好情報は、ユーザの電子番組表の閲覧履歴に基づいて、電子番組表の番組に付随する情報から番組の特徴を表すキーワードや、登場人物から作成される請求項１０記載の情報提示装置。
【請求項１２】  さらに当該端末のユーザを識別するユーザ識別部を有し、
嗜好情報データベースは、前記ユーザ識別部により識別されたユーザと、嗜好に関する情報とを対応付けて記憶しており、
関連情報判定部は、前記ユーザ毎の嗜好に関する情報を参照して行われる、
請求項１０記載の情報提示装置。
【請求項１３】  第一の情報端末は、さらに当該端末のユーザを識別するユーザ識別部を有し、
第一の情報端末にて取得される位置情報は、前記ユーザ識別部により識別された使用者に応じて蓄積され、
位置情報取得部が取得する位置情報は、ユーザごとに区別される、
請求項７記載の情報提示装置。
【発明の詳細な説明】
【０００１】
【発明の属する技術分野】
本発明は、カーナビゲーションシステム、PDA（携帯端末機器）、携帯電話などモバイル環境において位置情報を取得することが可能な機器と、TV、PC、携帯電話など情報を取得してユーザが閲覧可能な機器を利用したシステム、あるいは、それらの機能を単体で実現が可能な機器に関するものである。
【０００２】
【従来の技術】
人の情報への好奇心は旺盛であり、しかもその情報が自分にとって身近な情報、関連する情報であればあるほど余計に興味がわくものである。ところが現在、我々が取得可能な情報は非常に大量に存在し、その中で自分の興味をもつ情報、身近な情報を見分けるのは非常に困難になってきているため、ユーザが閲覧を希望するであろう情報を自動的に取得することができるシステムやソフトウェアの研究開発が盛んに行われている。
【０００３】
例えば特開平１０−２４３３０９号公報では、EPGのTV放送を利用して、ユーザが普段よく視聴するTV番組からキーワードを抽出しておき、多数の新たな番組の中からすでに抽出したキーワードと合致する番組をユーザに対して推薦することで、番組選択時にユーザの負う不可を低減が図られている。
【０００４】
【発明が解決しようとする課題】
このように、「ユーザの興味をもつキーワード」という観点で自動的に情報を提示する方法については、すでに実現の方法が示されている。
【０００５】
一方で、ユーザは自分の生活圏に関する情報にも興味をもつと考えられる。例えば、近所で起こった重大事件や、通勤経路に関連する交通情報などは、ユーザにとって非常に関心がある事項であるとともに、必要な情報である。こういった生活圏に関連する情報を取得する方法として上記公開されている方法を利用しても、ユーザの生活圏すべてを網羅することは困難であると考えられる。
【０００６】
また、生活圏に関するキーワードをユーザが明示的に入力しようとすると、大まかな地名（例えば「神戸エリア」や「国道1号線」など）の場合はそれほどの労力なく入力できるが、それが複数になってきた場合や、詳細な情報（「国道1号線のA交差点からB交差点」、「府道２４号線のB交差点からC交差点」など）を入力するのは非常に手間がかかる作業であるし、できれば自動的にユーザの生活圏に関連する情報を取得して提示できるようなシステムや機器が望ましい。
【０００７】
前記の問題に鑑み、本発明ではユーザの普段の生活圏、行動範囲を位置情報として取得・蓄積し、これをもとにユーザに関連するであろう情報を自動的に探し出しユーザに提示する情報提示方法を提供することを課題とする。
【０００８】
【課題を解決するための手段】
前記の課題を解決するために、第一の情報端末において取得した位置情報に関連する情報を第二の情報端末において提示する情報提示方法であって、前記第二の情報端末は、ユーザに所持され移動可能な第一の情報端末にて取得、蓄積した位置情報を受け取る位置情報取得ステップと、
情報コンテンツのデータを取得するデータ取得ステップと、前記取得した情報コンテンツのデータを蓄積するデータ蓄積ステップと、前記位置情報取得ステップにより取得された位置情報と前記データ蓄積ステップにより蓄積された情報コンテンツのデータとの関連を判定する関連情報判定ステップと、前記関連情報判定ステップの判定に基づき、ユーザに対して取得した情報コンテンツを提示する情報提示ステップとを備える。
【０００９】
【発明の実施の形態】
第一の実施形態は、第一の情報端末において取得した位置情報に関連する情報を第二の情報端末において提示する情報提示方法であって、前記第二の情報端末は、ユーザに所持され移動可能な第一の情報端末にて取得、蓄積した位置情報を受け取る位置情報取得ステップと、情報コンテンツのデータを取得するデータ取得ステップと、前記取得した情報コンテンツのデータを蓄積するデータ蓄積ステップと、前記位置情報取得ステップにより取得された位置情報と前記データ蓄積ステップにより蓄積された情報コンテンツのデータとの関連を判定する関連情報判定ステップと、前記関連情報判定ステップの判定に基づき、ユーザに対して取得した情報コンテンツを提示する情報提示ステップとを備えるものである。
【００１０】
第ニの実施形態は、第一の情報端末において取得した位置情報に関連する情報を第二の情報端末において提示する情報提示方法であって、前記第一の情報端末は、該端末の位置情報を取得する位置情報取得ステップと、前記取得した位置情報を蓄積する位置情報蓄積ステップと、前記蓄積された位置情報を該端末外に送出する位置情報送出ステップと、
を備え、前記第二の情報端末は、前記第一の情報端末で蓄積された位置情報を受け取る位置情報受理ステップと、ネットワーク、放送波、メモリ媒体の少なくともいずれかを用いて情報コンテンツのデータを受信するデータ受信ステップと、前記受信したデータを蓄積するデータ蓄積ステップと、前記位置情報受理ステップにより受理された位置情報と、前記データ蓄積ステップにより蓄積されたデータとの関連を判定する関連情報判定ステップと、前記関連情報判定ステップの判定に基づき、ユーザに対して情報を提示する情報提示ステップとを備えるものである。
【００１１】
第一又は第二の実施形態によれば、ユーザの使用する第一の情報端末において取得された位置情報によりユーザの活動範囲を把握することが可能であり、そのデータをユーザが情報を閲覧する第二の情報端末において参照することで、ユーザの活動範囲に関連した情報を提供することが可能となる。
【００１２】
好ましくは、第一、第二の実施形態において、第一の情報端末における取得、蓄積した位置情報、第二の情報端末における取得した位置情報は、緯度および経度の情報であり、第二の情報端末において、データ取得ステップが取得する情報コンテンツのデータは、緯度および経度で表現されたエリアを示す情報を含み、関連情報判定ステップによる関連は、前記第一の情報端末の位置情報が前記第二の情報端末に蓄積されたデータのエリアに含まれるかどうかにより判定されるものである。
【００１３】
また、好ましくは、第一、第二の実施形態において、第一の情報端末における取得、蓄積した位置情報、第二の情報端末における取得した位置情報は、緯度および経度の情報であり、第二の情報端末において、データ取得ステップが取得する情報コンテンツのデータは、地名を表す情報を含み、前記地名を表す情報を緯度および経度により表されるエリア情報に変換するエリア判定ステップを有し、関連情報判定ステップによる関連は、前記第一の情報端末の位置情報が前記第二の情報端末におけるエリア判定ステップにより変換されるエリアに含まれるかどうかにより判定されるものである。
【００１４】
また、第三の実施形態において、第一の情報端末において取得した位置情報に関連する情報を第二の情報端末において提示する情報提示方法であって、前記第一の情報端末は、緯度、経度により表される当該端末の位置情報を取得する位置情報取得ステップと、前記取得した位置情報を蓄積する位置情報蓄積ステップと、前記蓄積された位置情報を、地名を表す情報に変換する地名変換ステップと、前記変換された地名を表す情報を当該端末外に送出する位置情報送出ステップとを備え、前記第二の情報端末は、前記第一の情報端末で変換された地名を表す情報を受け取る位置情報取得ステップと、地名を表す情報を含む情報コンテンツのデータを取得するデータ取得ステップと、前記取得したデータを蓄積するデータ蓄積ステップと、前記位置情報取得ステップにより取得された地名を表す情報と、前記データ蓄積ステップにより蓄積された地名を表す情報を含む情報コンテンツのデータとの関連を判定する関連情報判定ステップと、前記関連情報判定ステップの判定に基づき、ユーザに対して取得した情報コンテンツを提示する情報提示ステップとを備える。
【００１５】
また、第四の実施形態において、第一の情報端末において取得した位置情報をサーバで処理し、処理された情報と関連する情報を第二の情報端末において提示する情報提示方法であって、前記第一の情報端末は、緯度、経度により表される当該端末の位置情報を取得する位置情報取得ステップと、前記取得した位置情報を当該端末外に送出する位置情報送出ステップとを備え、サーバは、前記位置情報送出ステップにより送出された位置情報を受信する受信ステップと、前記受信した位置情報を蓄積する蓄積ステップと、前記蓄積された位置情報を、地名を表す情報に変換する地名変換ステップと、前記変換した地名を表す情報を、第二の情報端末に対して送信する送信ステップとを備え、前記第二の情報端末は、前記サーバから送信された地名を表す情報を受け取る位置情報取得ステップと、地名を表す情報を含む情報コンテンツのデータを取得するデータ取得ステップと、前記取得した情報コンテンツのデータを蓄積するデータ蓄積ステップと、前記位置情報取得ステップにより取得された地名を表す情報と前記データ蓄積ステップにより蓄積された地名を表す情報を含む情報コンテンツのデータの関連を判定する関連情報判定ステップと、前記関連情報判定ステップの判定に基づき、ユーザに対して取得した情報コンテンツを提示する情報提示方法であり、第一の情報端末の処理速度が遅い場合や、メモリ容量が少ない場合にでも、ネットワーク上のサーバを利用することで、第二の情報端末において活動範囲に関連する情報の表示が可能となる。
【００１６】
第五の実施形態は、情報端末において取得した位置情報に関連する情報を提示する情報提示装置であって、ユーザに所持され移動可能な情報端末にて取得、蓄積した位置情報を受け取る位置情報取得部と、情報コンテンツのデータを取得するデータ取得部と、前記取得した情報コンテンツのデータを蓄積する蓄積データベースと、前記位置情報取得部により取得された位置情報と前記蓄積データベースにより蓄積された情報コンテンツのデータとの関連を判定する関連情報判定部と、前記関連情報判定部の判定に基づき、ユーザに対して取得した情報コンテンツを提示する情報提示部とを備える。
好ましくは、情報端末にて取得した位置情報は、位置情報を取得した日時に対応つけて蓄積されている。
また、好ましくは、データ取得部は、ネットワーク、放送波、メモリ媒体の少なくともいずれかを用いて情報コンテンツのデータを取得する。
【００１７】
また、好ましくは、当該端末のユーザを識別するユーザ識別部を有し、嗜好情報データベースは、前記ユーザ識別部により識別されたユーザと、嗜好に関する情報とを対応付けて記憶しており、関連情報判定部は、前記ユーザ毎の嗜好に関する情報を参照して行われるものである。
【００１８】
また、好ましくは、第一の情報端末は、さらに当該端末のユーザを識別するユーザ識別部を有し、第一の情報端末にて取得される位置情報は、前記ユーザ識別部により識別された使用者に応じて蓄積され、位置情報取得部が取得する位置情報は、ユーザごとに区別されるものである。
【００１９】
好ましくは、蓄積データベースに蓄積された情報コンテンツのデータから、ユーザの嗜好に関する情報を記憶する嗜好情報データベースにて取得したキーワードに合致する情報コンテンツのデータを抽出する嗜好判定部を更に備え、上記関連情報判定部は、前記嗜好判定部により抽出された情報コンテンツのデータと位置情報取得部により取得された位置情報との関連を判定するものであり、ユーザの活動範囲に加えて嗜好情報も考慮した情報提供が可能になる。
【００２０】
更に、嗜好情報データベースの嗜好情報は、ユーザの電子番組表の閲覧履歴に基づいて、電子番組表の番組に付随する情報から番組の特徴を表すキーワードや、登場人物から作成されるものである。
【００２１】
本発明の実施の形態について図面を参照しながら説明する。
【００２２】
本実施形態では、ユーザに所持され移動可能な第一の情報端末としてカーナビを、第二の情報端末としてテレビ（ＴＶ）を用いて説明するが、この実施形態に限らず、第一の情報端末として携帯電話や、ＰＤＡ、単なるＧＰＳ内臓チップなどのユーザに所持され移動可能な情報端末であれば良く、また第二の情報端末としてＰＣや、コンテンツ受信可能なディスプレイであれば同様の効果をえることができる。
【００２３】
（実施の形態１）
図１は、第一の実施の形態に係わるシステムの全体構成を示す図である。図中、１０１はカーナビナビゲーションシステムであり、１０６はテレビ、１０５は記録媒体としての例えばSDカードなどの半導体メモリカードである。メモリカード１０５を利用することで、カーナビ１０１とTV１０６間でデータの移動を行うことが可能となる。
【００２４】
カーナビ１０１において、１０２はGPS（global positioning system）等により位置情報を取得する位置情報取得部、１０３は、取得された位置情報を蓄積しておく位置情報蓄積データベース、１０４は蓄積されている位置情報をメモリカード１０５に書き込むための位置情報送出部である。
【００２５】
位置情報蓄積データベース１０３に蓄積されるデータの例を図２に示す。位置情報取得部１０２がGPS等により緯度、経度などのデータを取得すると、位置情報蓄積データベース１０３は、その取得された日時とともに蓄積していく。データの解釈方法ついて説明すると、例えば図の1行目における"011119121413"はデータを取得した日時を示し、具体的には2001年11月19日 12時14分13秒を表し、"N3443496"、"E13546191"はそれぞれ緯度・経度情報を表し、具体的には北緯34度43分49秒6、東経１３５度46分19秒1を表すものである。そして位置情報取得部１０２が定期的にデータを取得するごとに位置情報蓄積データベース１０３に蓄えられていく。図では下方向に新たな位置情報が蓄積されている様子を表している。つまり、新たな位置情報を取得するたびに時系列に位置情報が蓄積される。メモリカード１０５が位置情報送出部１０４に挿入されて書き込み可能な状態であると、ユーザが読み出しボタンを押すなどの所定のイベントが発生したときに、蓄えられたデータはメモリカード１０５に書き込まれる。
【００２６】
また、TV１０６において、１０７はメモリカード１０５に記録された位置情報を読み取る位置情報受理部、１０８は読み取った位置情報を蓄積しておく位置情報データベース、１０９は放送された映像やテキストなどのコンテンツを受信するデータ受信部、１１０は受信したコンテンツを蓄積しておく蓄積データベース、１１１はユーザからのイベント入力を検知する入力検知部、１１２はユーザからの入力を受け、位置情報データベース１０８と蓄積データベース１１０を参照して受信したコンテンツの中から位置情報データベース１０８に蓄積されている位置情報に関連するコンテンツを判定する関連情報判定部、１１３は関連すると判定されたコンテンツをユーザに提示する情報提示部である。
【００２７】
データ受信部１０９が受信するデータについて述べる。放送波によりデータ受信部１０９が受信するニュース番組やコマーシャルには図３に示すようなメタ情報が付与されている。メタ情報は、カテゴリ、タイトル、関連範囲からなり、カテゴリとは、情報の種類を示し、例えばニュース、交通情報、コマーシャルなどのジャンルや、スポーツ、経済、政治などの番組ジャンルなどである。タイトルとは、そのカテゴリに含まれる内容のタイトルである。
【００２８】
関連範囲とは、そのコンテンツの情報が関連する地理的な範囲を示すものである。例えばコンテンツID１のコンビニ強盗のニュースは、地名"関目交差点"を含む北緯34度43分52秒８・東経１３５度46分18秒５から北緯34度43分65秒５・東経１３５度4７分３8秒２までの範囲において活動する人や生活する人と関連がある情報である、と考えることができる。
【００２９】
次に本発明の一実施形態における処理の流れを、図４に示すフローチャートを用いて説明する。
【００３０】
カーナビ１０１においてエンジンがかかっていると判定されると（S４０１）、位置情報を取得するためのイベントが発生しているかどうかが判定される（S４０２）。このイベントとしては、例えば「位置情報を5秒間隔で取得する」という規則が定義されているとすると、現在の時刻が前回の位置情報取得から5秒経過していることがイベントの発生であるし、規則が「交差点などの特定の場所を通過した時」と定義されていると、現在地が交差点であることがイベントの発生である。
【００３１】
イベントが発生するとGPS等を利用することで位置情報取得部１０２において位置情報を取得し（S４０３）、取得した位置情報を位置情報蓄積データベース１０３に蓄積する（S４０４）。その後、蓄積された位置情報を外部へ送出する要求があるかどうかを判定し（S４０５）、あれば、位置情報送出部１０４により蓄積された位置情報がメモリカード１０５に書き出される。ユーザがメモリカード１０５をカーナビ１０１から抜き、TV１０６に差し込むと、メモリカード１０５に書き出された位置情報はTV１０６の位置情報受理部１０７で読み出され（S４１１）、蓄積される（S４１２）。尚、Ｓ４０７はエンジンを切っているか否か判断するステップであり、エンジンがかかっていると上記S４０２からS４０６のステップを行うことが可能である。逆にエンジンがかかっていない場合は処理を終える。但し、エンジンに連動する必要はなく、GPSが単独で行うことも可能である。
【００３２】
またTV１０６はデータ受信部１０９において放送コンテンツを受信し（S４２１）、受信した放送コンテンツを蓄積データベース１１０に蓄積する（S４２２）。そしてユーザから情報表示の要求が入力検知部１１１から入力されると（S４３１）、蓄積データベース１１０に放送コンテンツが蓄積されているかどうかの判定が行われ（S４３２）、蓄積されていないと判定されると、ユーザに対してその旨を通知するメッセージを出力する（S４３６）。メッセージの例としては「該当するコンテンツはありません」などが考えられる。
【００３３】
一方、S４３２において蓄積コンテンツがあると判定されると、関連情報判定部１１２は図３に示すようなコンテンツに付随するメタ情報の解析を行い、コンテンツごとに関連範囲を把握する。位置情報データベース１０８に蓄積されているユーザの位置情報を参照して、ユーザが車で移動したことのある位置情報と放送により受信したコンテンツのメタ情報に関連があるかどうかを判定する（S４３３）。
【００３４】
関連があるかどうかの判定は次のように行われる。図３に示される放送コンテンツのメタ情報には、図５のようなエリアを表現する南西端と北東端を表す緯度・経度情報がそれぞれ始点、終点として記述されている。図はコンテンツID１のコンテンツの関連範囲を示す。そしてコンテンツID1の放送コンテンツが、このエリアを活動範囲、生活範囲としているユーザと関連が深い情報であることを表している。ここで、位置情報データベース１０８に蓄積されたユーザの位置情報データがこの範囲に含まれている位置情報であれば、コンテンツID１の放送コンテンツはカーナビ１０１のユーザにとって関連がある情報であるという判定が行われる（Ｓ４３４）。
【００３５】
関連情報判定部１１２により、位置情報データベース１０８に蓄積された位置情報データと関連があると判定された放送コンテンツは情報提示部１１３において表示しユーザに対して提示されることになる（S４３５）。
【００３６】
なお、本実施の形態ではカーナビ１０１内のデータをTVに移動させる際に半導体メモリカード１０５を利用したが、カーナビ１０１およびTV１０６がネットワークに接続されており、カーナビ１０１内のデータをネットワーク上のサーバにアップロードし、TV１０６によりそのデータをダウンロードする、というシステム構成も考えられる。尚、Ｓ４０６は位置情報を送出し，Ｓ４１１は送出した位置情報を受理したか否かの判定をし、Ｓ４１２は位置情報を受理した場合に位置情報を蓄積するものである。
【００３７】
また、携帯電話やPDAなどの位置情報の取得が可能な端末であればカーナビ１０１と同様の機能を果たすことが可能であるし、それら複数の端末により収集した位置情報を利用することで、車での活動範囲、歩行時の活動範囲などユーザの行動範囲をより精度よく把握することができる。
【００３８】
また、本実施形態における関連情報判定部１１２はユーザのイベント入力により蓄積されている放送コンテンツの中から関連情報を判定するが、蓄積データベース１１０に蓄積する際にあらかじめ関連情報かどうかの判定を行い、関連情報のみを蓄積するようにしてもよいし、情報の提示もユーザの入力がなくても自動的に行われるようにしてもよい。
【００３９】
さらにTV１０６の機能は、情報の取得・表示が可能なPC、PDA、携帯電話であれば果たすことができる。
【００４０】
例えばPCを利用して次のような展開を考えることができる。インターネットを利用したサービスとして、日本各地の地図の中から地域を指定すると、その地域に関する詳細な地図情報や、お勧めの店舗や施設に関する情報を入手できるというサービスを想定した場合に本実施の形態を適用すると、地域の選択時にユーザがわざわざ指定しなくてもユーザの日常の位置情報を利用して、自動的に地域を選択してユーザの行動範囲に関する情報のみを提示することが可能となるし、ユーザにお薦めのドライブコースを提供するということも可能である。そのための構成として、インターネット経由でデータをPC内に取得しPCにおいて関連情報を判定する本実施の形態に示すものや、PCに取得した位置情報をサーバへ送信してサーバで関連情報を判定し、必要な情報のみをPCで受信するような構成などが考えられる。
【００４１】
（実施の形態２）
本実施の形態では、実施の形態１における位置情報の取得・蓄積と、コンテンツの受信・表示を同一端末内、例えば携帯電話やPDA単独で行う構成について述べる。図６に本実施の形態における端末の構成を示す。
【００４２】
１０２はGPS等により位置情報を取得する位置情報取得部、１０３は取得された位置情報を蓄積しておく位置情報蓄積データベース、１０９はネットワークを介してコンテンツを受信するデータ受信部、１１０は受信したコンテンツを蓄積しておく蓄積データベース、１１２は位置情報蓄積データベース１０３と蓄積データベース１１０とを参照して受信したコンテンツの中から位置情報データベース１０８に蓄積されている位置情報に関連するコンテンツを判定する関連情報判定部、１１３は関連すると判定されたコンテンツをユーザに提示する情報提示部である。位置情報蓄積データベース１０３、蓄積データベース１１０に蓄積されるデータは、それぞれ実施の形態１で用いた図２、図３と同様であってよい。
【００４３】
次に本実施の形態における処理の流れを図７に示すフローチャートを用いて説明する。
【００４４】
まず、位置情報を蓄積するステップについて説明する。端末においては、位置情報を取得するためのイベントが発生しているかどうかの判定が定期的に行われる（S７０１）。イベントとしては、実施の形態１で述べたものと同様でよい。
イベントが発生するとGPS等を利用することで位置情報取得部１０２において位置情報を取得し（S７０２）、取得した位置情報を位置情報蓄積データベース１０３に蓄積する（S７０３）。
【００４５】
一方、データ受信部１０９においてコンテンツが受信されると（S７１１）、蓄積データベースに蓄積され（S７１２）、受信したコンテンツが蓄積されている位置情報と関連するかどうかの判定が関連情報判定部１１２において行われる（S４３３）。関連情報判定部１１２における判定方法については実施の形態１で示した方法と同様でよい。そして関連があると判定されると（S４３４）、情報提示部１１３によりユーザに対して関連情報の提示（表示）が行われる（S４３５）。
【００４６】
なお、本実施形態では関連情報の判定や情報の表示は、コンテンツが受信されると自動的に行われる例について説明したが、この限りではなく、実施の形態１と同様ユーザからの意思表示があったときに行われるのでもよい。
【００４７】
また、端末で取得した位置情報をネットワーク上のサーバにアップロードし、関連情報の判定を端末内ではなくサーバで行い、端末ごとに関連するコンテンツのみを送信し端末でこれを受信するような構成を考えることも可能である。
【００４８】
（実施の形態３）
本実施の形態においては、データ受信部１０９で受信するコンテンツやメタ情報に緯度・経度情報が含まれていない場合における情報提示の方法について述べる。システム構成を図８に示す。図８において図１に示した第１の実施の形態と同じ構成部分には同一番号をつけて詳細な説明は省略する。
【００４９】
最初に本実施の形態において蓄積データベース１１０、地名エリア対応データベース８０１に蓄積または記憶されているデータの例について説明する。
【００５０】
図９はデータ受信部１０９が受信し蓄積データベース１１０に蓄積されるデータを示す。このデータは、一般のTV番組やコマーシャルなどの映像コンテンツ、画像コンテンツに付随するメタ情報でもよいし、また、テキストコンテンツ本体であってもよく、いずれにせよ、テキストを含むデータであればよい。実施の形態１における蓄積データベース１１０に蓄積されるデータ（図３に示す）との差異は、本実施の形態では緯度・経度情報が明示的に記されていないことである。
【００５１】
図１０は地名エリア対応データベース８０１に記憶されているデータを示す。図のように地名エリア対応データベース８０１には、地名とその地名が示す対象範囲で構成されている。対象範囲はさらに図５で示したような対象範囲の南西端を始点、北東端を終点とし、それらの緯度・経度情報で表されている。データの解釈方法ついては、実施の形態1と同様であり、例えば"N3508554"、"E13652027"はそれぞれ緯度・経度情報を表し、具体的には北緯35度08分55秒4、東経136度52分02秒7を表すものである。
【００５２】
次に構成図８において、本実施の形態に固有の機能をもつ構成要素について説明する。８０２は、地名エリア対応データベース８０１を参照して蓄積データベース１１０に蓄積されたコンテンツから地名情報を抽出し、その地名に対応する緯度・経度情報を決定するエリア判定部である。また、１１２は関連情報判定部である。関連情報判定部１１２は実施の形態１においては、「ユーザからの入力を受け、位置情報データベース１０８と蓄積データベース１１０を参照して受信したコンテンツの中から位置情報データベース１０８に蓄積されている位置情報に関連するコンテンツを判定する」という役割を果たしたが、実施の形態３においては、エリア判定部８０２が出力した緯度・経度の位置情報のうち位置情報データベース１０８に蓄積された位置情報と合致するものを判定する働きをする。
【００５３】
次に、本実施の形態におけるエリア判定部８０２、関連情報判定部１１２の処理の流れを、図１１に示すフローチャートを用いて説明する。
【００５４】
入力検知部１１１でユーザから情報提示の要求の入力を検知すると（S４３１）、エリア判定部８０２では蓄積データベース１１０に蓄積されたコンテンツを１つずつ抽出し（S４３２）、図１０に示す地名エリア対応データベース８０１を参照して（S１１０３）、蓄積されたコンテンツに、登録されている地名が含まれているかどうかの判定をする（S１１０４）。登録されていなければ、蓄積データベース１１０から次のコンテンツを抽出する。登録されていると判定された場合、その地名と対応する緯度・経度情報を地名エリア対応データベース８０１から抽出する。ここで蓄積データベースに含まれたコンテンツのメタ情報から地名を検索することにより、地名が含まれているか否か判定を行う。また別の実施形態では、コンテンツおよび地名エリア対応データベースに地名を表すコードが付与されており、そのコードのマッチングを行うことによりS１１０４の判定がなされるのでもよい。また別の実施形態では、コンテンツを受信した放送局の範囲に基づいて地名の判定を行う。例えば名古屋テレビであれば、名古屋の地名に関する情報が多いと考えられるので、その情報を選択的に選ぶことも可能である。そして選んだ情報から更に、詳細なコンテンツに関する地名の判定を行うと情報処理時間の短縮と、ユーザの好む情報が地方特有の情報が得られる可能性もある。
【００５５】
さらに、位置情報データベース１０８を参照して、実施の形態１で示したようなユーザの行動範囲が上述の緯度・経度情報に示されるエリアに含まれているかどうかの判定を行う（S４３３）。含まれていると判定された場合は（S４３４）、該当する蓄積コンテンツを関連情報として情報提示（表示）を行う（S４３５）。S４３２、S１１０４、S４３４でNOと判定された場合はその旨（例えば"該当するデータはありません"など）をユーザに通知する（S４３６）。
【００５６】
本実施形態ではあるコンテンツに対して行ったが、上記処理が蓄積データベース１１０に蓄積されたすべてのコンテンツに対して行われ、ユーザの行動範囲と地理的に合致するコンテンツがユーザに対して表示してもよい。
【００５７】
（実施の形態４）
実施の形態４では、実施の形態３の別構成として図１２に示す構成を考える。すなわち、実施の形態３においてTV１０６側の地名エリア対応データベース８０１とエリア判定部８０２により行われていたエリアの判定を、カーナビ１０１側で行う構成である。図１２中、実施の形態３の構成要素と同一の機能を果たす要素については詳細な説明を省略する。
【００５８】
本実施の形態において、実施の形態３と異なる機能をもつ要素について説明する。
【００５９】
１２０１は、位置情報蓄積データベース１０３に蓄積された図２に示す位置情報データと、地名エリア対応データベース８０１に蓄積された図１０に示すデータを参照して、カーナビ１０１のユーザが走行した位置情報の履歴から、それに対応する地名等固有名詞に写像を行う地名写像部１２０１である。地名エリア対応データベース８０１は、実施の形態３においては蓄積データベース１１０に蓄積されているテキストデータから地名を探しだし、地名情報から緯度・経度情報を抽出するために参照されたが、本実施の形態においては、位置情報蓄積データベース１０３に蓄積された緯度・経度情報を地名情報に写像（変換）して緯度・経度情報から地名情報を確定するために参照されることになる。
【００６０】
地名写像部１２０１の増設に伴い、位置情報送出部１０４が外部に送出する位置情報は実施の形態１や実施の形態３のような緯度・経度情報ではなく、地名写像部１２０１により写像された地名等の情報（例えば、名古屋や松本、久御山町などの県庁所在地や市町村所在地、あるいは古川橋や新大阪などの駅所在地、あるいは富士山、琵琶湖、東京タワーなどの自然物や名所などの所在地）になり、また、TV１０６において位置情報受理部１０７が受理するデータ、位置情報データベース１０８が蓄積するデータも地名等の情報となる。
【００６１】
１２０２は、位置情報データベース１０８に蓄積された地名等の情報と、蓄積データベース１１０に蓄積された図９に示すデータを参照して、蓄積データベース１１０のデータの中から、位置情報データベース１０８に蓄積された地名を含むデータを検索して抽出する地名検索部である。
【００６２】
このように地名等の固有名詞の情報をTV１０６に取り込むことで、蓄積されたコンテンツの中からユーザの行動範囲に関連する情報をユーザに対して提供することが可能となる。
【００６３】
なお、本実施の形態では、メモリカード１０５を用いて地名情報をカーナビ１０１からTV１０６に移動させたが、ネットワークを利用して、カーナビ１０１からネットワーク上のサーバにアップロードされた地名情報をTV１０６がダウンロードする構成を考えることもできる。また、地名写像部１２０１や地名エリア対応データベース８０１がネットワーク上のサーバにあり、カーナビ１０１からアップロードされた緯度・経度情報をサーバが地名情報に写像し、地名情報をカーナビ１０１にダウンロードしてメモリカード１０５でTV１０６側に移動する構成や、地名情報をTV１０６にダウンロードする構成など様々に考えることが可能である。
【００６４】
（実施の形態５）
実施の形態５においては、実施の形態３にさらにユーザの嗜好情報を参照して情報を提示する場合について考える。本実施の形態における構成図を図１３に示す。図１３においてすでに記した実施形態と同様の機能をもつ構成要素については詳細な説明を省略する。
【００６５】
最初に、本実施の形態における構成要素について説明する。
【００６６】
１３０１は、ユーザの嗜好を表すキーワードの入力を受け付けるキーワード入力部であり、１３０２は、キーワード入力部１３０１から入力されたキーワードを記憶しておく嗜好情報データベースである。また、１３０３は、蓄積データベース１１０に蓄積されたデータの中から、嗜好情報データベース１３０２に蓄積されたキーワードと合致するデータを抽出する嗜好判定部である。
【００６７】
本実施の形態において、蓄積データベース１１０に蓄積されるデータを図１４に示す。図のように、実施の形態３における蓄積データベース１１０のデータ（図９に示す）に追加して、本実施の形態ではキーワード情報が付与されている。
【００６８】
本実施の形態におけるTV１０６の動作について、嗜好判定部１３０３を中心に詳しく説明する。
【００６９】
ユーザは自分の興味のあるキーワードをキーワード入力部１３０１から入力する。今回、ユーザはキーワードとして"ゴルフ"を入力したとする。キーワード情報は嗜好情報データベース１３０２に記憶される。入力検知部１１１においてユーザからの入力を検知すると、嗜好判定部１３０３は図１４に示す蓄積データベース１１０のデータから嗜好情報データベース１３０２に記憶されたキーワードと合致するデータを判定する。図１４の例で述べると、ユーザの入力したキーワード"ゴルフ"と合致するのは、コンテンツID３の「亀谷ゴルフ梅田店、本日オープン」のコンテンツである。
【００７０】
嗜好判定部１３０３によりユーザの嗜好と合致すると判定されたコンテンツは、実施の形態３で示したエリア判定部８０２、関連情報判定部１１２によりユーザの行動範囲と合致するかどうかの判定が行われ、合致したコンテンツが情報提示部１１３によりユーザに提示される。
【００７１】
本実施の形態により、ユーザは普段の自分の行動範囲だけでなく、自分の嗜好も考慮された情報のみを視聴することが可能となる。
【００７２】
なお、本実施の形態においてはユーザが自らキーワードを入力することでユーザの嗜好を把握する構成としたが、これを自動化する構成も可能である。すなわち、電子番組表（EPG）を利用してユーザが日頃よく閲覧しているテレビ番組に付随する情報を監視して番組の特徴を表すキーワードや登場人物などから嗜好情報を作成したり、テキストのコンテンツにメタ情報やキーワード情報が付与されている場合には、これらの情報からキーワードを抽出して嗜好情報を作成したりすることで、ユーザがなにも入力しなくても自動的にユーザの嗜好を把握できる。例えば、定期的に統計処理をとってユーザの嗜好を把握したり、ユーザにＩＤなどの識別情報を付与し、その識別情報ごとに嗜好を把握してもよい。
【００７３】
さらに、このような自動化によりシステムから提示された情報に対してユーザが評価入力、例えば「今後もこの類の情報を表示して欲しい」、「今後は必要なし」など、の意思を入力することでユーザの嗜好情報に対してフィードバックをかけ、より精度の高い嗜好情報を作成することも可能である。
【００７４】
（実施の形態６）
実施の形態６においては、カーナビ１０１のユーザごとに位置情報を蓄積・管理し、TV１０６においてユーザに提示される情報が、ユーザに応じて異なる場合について述べる。本実施の形態におけるシステムの構成図を図１５に示す。図１５において、すでに記した実施形態と同様の機能をもつ構成要素については詳細な説明を省略する。
【００７５】
最初に、本実施の形態における構成要素について述べる。
【００７６】
１５０１は、カーナビ１０１の使用者が誰であるのかをユーザ毎のIDで識別するユーザ識別部である。ユーザの識別の方法としては例えば、ID情報が記憶されたカードなどをカーナビ１０１に挿入し、カーナビ１０１でID情報を読み取ることにより行う方法や、ユーザがID付きのデバイスを携帯・装着しており、カーナビ１０１が無線でIDを読み取るなど自動的に行われる方法や、ユーザがカーナビ１０１を使用する際に明示的にID等をカーナビ１０１に入力するなど手動で行う方法などが考えられる。
【００７７】
ユーザ識別部１５０１の増設に伴い、位置情報蓄積データベース１０３に蓄積される位置情報は実施の形態１における図２の構造から図１６のようになる。図16のように、図２に示した日時、緯度・経度情報に加えて、そのデータにユーザのID番号が付与されたかたちで蓄積されている。
【００７８】
１５０２は、TV１０６の視聴者が誰であるのかをユーザ毎にIDで判定するユーザ判定部である。ユーザ判定部１５０２でユーザを判定する方法としては、上述したユーザ識別部１５０１と同様な方法が考えられる。
【００７９】
次に本実施の形態における処理の流れを、ユーザ判定部１５０２、関連情報判定部１１２を中心にフローチャートを用いて説明する。
【００８０】
ユーザからの入力が検知されると（S４３１）、ユーザ判定部１５０２はTV１０６の視聴を希望しているユーザの判定を行う（S１７０１）。関連情報判定部１１２は蓄積データベースを参照して、蓄積されたデータがあると（S１１０３）、位置情報データベース１０８を参照して、ユーザ判定部１５０２により判定されたユーザの位置情報が記憶されているかどうかを判定する（S１７０２）。
所定のユーザ情報が存在すると、実施の形態１に述べた方法でそのユーザの位置情報と蓄積された情報との関連が判定され（S４３３）、関連すると判定されると（S４３４）、関連情報がユーザに対して提示（表示）される（S４３５）。S１１０３、S１７０２、S４３４でNOと判定された場合は、その旨をユーザに対して通知する（S４３６）。
【００８１】
以上のような構成をとることにより、同一のカーナビ１０１を使用する複数のユーザが存在しても、各ユーザの行動範囲に合わせた情報提供を行うことが可能となる。
【００８２】
なお本実施の形態では、位置情報送出部１０４が送出するデータについて言及していないが、このデータは、位置情報蓄積データベース１０３に蓄積されているすべてのユーザの位置情報を送出してTV１０６の関連情報判定部１１２で所定のユーザの情報のみを抽出するようにしてもよいし、ユーザ識別部１５０１で識別されたユーザの位置情報のみを抽出するようにしてもよい。
【００８３】
【発明の効果】
以上、説明したことから明らかなように本発明によると蓄積された大量のコンテンツの中からユーザの行動範囲などの生活圏を意識したフィルタリングを行うことで、ユーザに関連する情報のみを提示することが可能となる。さらに、ユーザの嗜好情報を利用することで、より精度の高いフィルタリングを行うことが可能となる。また、カーナビなどに蓄積される位置情報をユーザ毎に管理することで、複数のユーザが存在する場合でもそのユーザ毎に必要な情報を提供することが可能となる。
【図面の簡単な説明】
【図１】
本発明の第一の実施の形態におけるシステム構成を示す図
【図２】
位置情報取得部により取得され記憶される位置情報を示す図
【図３】
受信するコンテンツのメタ情報を示す図
【図４】
本発明の第一の実施の形態におけるフローチャート
【図５】
関連範囲のエリアを示す図
【図６】
本発明の第二の実施の形態におけるシステム構成を示す図
【図７】
本発明の第二の実施の形態におけるフローチャート
【図８】
本発明の第三の実施の形態におけるシステム構成を示す図
【図９】
受信するコンテンツを示す図
【図１０】
地名と関連エリアの対応を示した図
【図１１】
本発明の第三の実施の形態におけるフローチャート
【図１２】
本発明の第四の実施の形態におけるシステム構成を示す図
【図１３】
本発明の第五の実施の形態におけるシステム構成を示す図
【図１４】
受信するコンテンツを示す図
【図１５】
本発明の第六の実施の形態におけるシステム構成を示す図
【図１６】
位置情報取得部により取得され、ユーザ毎に記憶される位置情報を示す図
【図１７】
本発明の第六の実施の形態におけるフローチャート
【符号の説明】
１０１  カーナビ
１０２  位置情報取得部
１０３  位置情報蓄積データベース
１０４  位置情報送出部
１０５  メモリカード
１０６  TV
１０７  位置情報受理部
１０８  位置情報データベース
１０９  データ受信部
１１０  蓄積データベース
１１１  入力検知部
１１２  関連情報判定部
１１３  情報提示部
８０１  地名エリア対応データベース
８０２  エリア判定部
１２０１  地名写像部
１２０２  地名検索部
１３０１  キーワード入力部
１３０２  嗜好情報データベース
１３０３  嗜好判定部
１５０１  ユーザ識別部
１５０２  ユーザ判定部